(57)【要約】【課題】データ記録の際、ユーザの利便性を向上させること。【解決手段】データの再生を行う再生部３４と、ポータブル再生記録装置２との間で通信を行う通信部３５と、再生部３４により再生されたデータを前記データ記録装置に記録させる際、前記データ記録装置に記録する記録データを特定する記録データ特定情報と前記データの再生及び記録を停止する停止指示情報とを通信部３５を介してポータブル再生記録装置２から受信すると、記録データ特定情報に基づいて、記録データ特定情報に対応するデータの再生が終了したか否かを判別し、記録データ特定情報に対応するデータの再生が終了したと判別した場合、再生部３４によるデータの再生を停止させ、データの記録の停止を実行する記録停止実行指示情報をポータブル再生記録２に通信部３４を介して送信させるオーディオ装置制御部３１と、を備える。【選択図】図１
2008234744.tif 000002
【特許請求の範囲】
【請求項１】
データを再生し、当該再生したデータをデータ記録装置に送信するデータ再生装置であって、
前記データの再生を行う再生部と、
前記データ記録装置との間で通信を行う第１の通信部と、
前記再生部により再生されたデータを前記データ記録装置に記録させる際、前記データ記録装置に記録する記録データを特定する記録データ特定情報と前記データの再生及び記録を停止する停止指示情報とを前記第１の通信部を介して前記データ記録装置から受信すると、前記記録データ特定情報に基づいて、前記記録データ特定情報に対応するデータの再生が終了したか否かを判別し、前記記録データ特定情報に対応するデータの再生が終了したと判別した場合、前記再生部による前記データの再生を停止させ、前記データの記録の停止を実行する記録停止実行指示情報を前記データ記録装置に前記第１の通信部を介して送信させる第１の制御部と、
を備えたデータ再生装置。
【請求項２】
前記記録データ特定情報は、
前記再生部により再生されるデータ数、及び／または、前記データの付加情報に基づく情報である請求項１に記載のデータ再生装置。
【請求項３】
請求項１に記載のデータ再生装置と、
前記データ再生装置と通信接続されたデータ記録装置と、を備え、
前記データ記録装置は、
データを記録媒体に記録させる記録部と、
前記記録媒体に記録する記録データを特定する記録データ特定情報と前記データの再生及び記録を停止する停止指示情報とを受け付ける指示部と、
前記データ再生装置との間で通信を行う第２の通信部と、
前記第２の通信部を介して、前記指示部により受け付けられた記録データ特定情報と前記停止指示情報とを前記データ記録装置に送信させ、前記データ記録装置から前記データの記録の停止を実行する記録停止実行指示情報を受信すると、前記記録部による前記データの記録を停止させる第２の制御部と、
を備えたデータ記録システム。
【請求項４】
前記第１の制御部は、
前記記録データ特定情報に対応するデータの再生が終了していないと判別した場合、前記第１の通信部を介して、前記記録データ特定情報に対応するデータの記録を継続する継続指示情報を前記データ記録装置に送信させ、
前記第２の制御部は、
前記第２の通信部を介して、前記継続指示情報を前記データ記録装置から受信すると、前記記録部に前記記録データ特定情報に対応するデータの記録を継続させる請求項３に記載のデータ記録システム。
【請求項５】
データの再生を行う再生部により再生されたデータを当該データの記録を行うデータ記録装置に記録させる際、前記データ記録装置に記録する記録データを特定する記録データ特定情報と前記データの再生及び記録を停止する停止指示情報とを前記データ記録装置との間で通信を行う通信部を介して前記データ記録装置から受信すると、前記記録データ特定情報に基づいて、前記記録データ特定情報に対応するデータの再生が終了したか否かを判別し、前記記録データ特定情報に対応するデータの再生が終了したと判別した場合、前記再生部による前記データの再生を停止させ、前記データの記録の停止を実行する記録停止実行指示情報を前記データ記録装置に前記通信部を介して送信させる制御工程と、
を含むデータ再生方法。
【請求項６】
コンピュータを、
データの再生を行う再生部、
前記データの記録を行うデータ記録装置との間で通信を行う通信部、
前記再生部により再生されたデータを前記データ記録装置に記録させる際、前記データ記録装置に記録する記録データを特定する記録データ特定情報と前記データの再生及び記録を停止する停止指示情報とを前記通信部を介して前記データ記録装置から受信すると、前記記録データ特定情報に基づいて、前記記録データ特定情報に対応するデータの再生が終了したか否かを判別し、前記記録データ特定情報に対応するデータの再生が終了したと判別した場合、前記再生部による前記データの再生を停止させ、前記データの記録の停止を実行する記録停止実行指示情報を前記データ記録装置に前記通信部を介して送信させる制御部、
として機能させるデータ再生プログラム。
【発明の詳細な説明】
【技術分野】
【０００１】
本発明は、データ再生装置、データ記録システム、データ再生方法、及びデータ再生プログラムに関する。
【背景技術】
【０００２】
従来から、光情報記録媒体であるＭＤ（Mini Disc）、ＣＤ（Compact Disc）等の楽曲データ（データ）の再生を行うデータ再生装置と、当該データの記録を行うデータ記録装置と、を備えたデータ記録システムが知られている。
当該データ記録システムにおいて、再生装置で実行されるデータ再生動作と記録装置で実行されるデータ記録動作とを同期させる技術が知られている。また、記録するデータを再生装置側でプログラム再生してプログラム順に記録する技術も知られている。
【０００３】
また、録音動作の一時停止の直前に所定時間の無音情報の録音を行う技術が知られている（例えば、特許文献１参照）。また、４極のステレオミニプラグケーブルを介して音楽機器と外部機器とが通信接続された可変量調整システムが知られている（例えば、特許文献２参照）。当該可変量調整システムでは、音量やイコライザ等の可変量を４極のステレオミニプラグケーブルを介して制御することにより、当該可変量を音楽機器、外部機器の両機器で共に設定できる。
【特許文献１】特開平５−１１４２７６号公報
【特許文献２】特開２００６−３３９８４８号公報
【発明の開示】
【発明が解決しようとする課題】
【０００４】
しかしながら、上述の従来技術では、ユーザによりデータの記録停止指示の入力があると、データの記録停止が即実行されていた。したがって、ユーザは、所望するデータの記録が終了するのを待った上で、記録停止指示の入力を行う必要があった。すなわち、データ記録の際、ユーザの利便性が悪いという問題があった。
【０００５】
本発明の課題は、データ記録の際、ユーザの利便性を向上させることである。
【課題を解決するための手段】
【０００６】
上記課題を解決するため、請求項１に記載の発明のデータ再生装置は、
外部から入力されるデータを再生し、当該再生したデータをデータ記録装置に送信するデータ再生装置であって、
前記データの再生を行う再生部と、
前記データ記録装置との間で通信を行う第１の通信部と、
前記再生部により再生されたデータを前記データ記録装置に記録させる際、前記データ記録装置に記録する記録データを特定する記録データ特定情報と前記データの再生及び記録を停止する停止指示情報とを前記第１の通信部を介して前記データ記録装置から受信すると、前記記録データ特定情報に基づいて、前記記録データ特定情報に対応するデータの再生が終了したか否かを判別し、前記記録データ特定情報に対応するデータの再生が終了したと判別した場合、前記再生部による前記データの再生を停止させ、前記データの記録の停止を実行する記録停止実行指示情報を前記データ記録装置に前記第１の通信部を介して送信させる第１の制御部と、を備える。
【０００７】
請求項２に記載の発明は、請求項１に記載のデータ再生装置において、
前記記録データ特定情報は、
前記再生部により再生されるデータ数、及び／または、前記データの付加情報に基づく情報である。
【０００８】
請求項３に記載の発明のデータ記録システムは、
請求項１に記載のデータ再生装置と、
前記データ再生装置と通信接続されたデータ記録装置と、を備え、
前記データ記録装置は、
データを記録媒体に記録させる記録部と、
前記記録媒体に記録する記録データを特定する記録データ特定情報と前記データの再生及び記録を停止する停止指示情報とを受け付ける指示部と、
前記データ再生装置との間で通信を行う第２の通信部と、
前記第２の通信部を介して、前記指示部により受け付けられた記録データ特定情報と前記停止指示情報とを前記データ記録装置に送信させ、前記データ記録装置から前記データの記録の停止を実行する記録停止実行指示情報を受信すると、前記記録部による前記データの記録を停止させる第２の制御部と、を備える。
【０００９】
請求項４に記載の発明は、請求項３に記載のデータ記録システムにおいて、
前記第１の制御部は、
前記記録データ特定情報に対応するデータの再生が終了していないと判別した場合、前記第１の通信部を介して、前記記録データ特定情報に対応するデータの記録を継続する継続指示情報を前記データ記録装置に送信させ、
前記第２の制御部は、
前記第２の通信部を介して、前記継続指示情報を前記データ記録装置から受信すると、前記記録部に前記記録データ特定情報に対応するデータの記録を継続させる。
【００１０】
請求項５に記載の発明のデータ再生方法は、
データの再生を行う再生部により再生されたデータを当該データの記録を行うデータ記録装置に記録させる際、前記データ記録装置に記録する記録データを特定する記録データ特定情報と前記データの再生及び記録を停止する停止指示情報とを前記データ記録装置との間で通信を行う通信部を介して前記データ記録装置から受信すると、前記記録データ特定情報に基づいて、前記記録データ特定情報に対応するデータの再生が終了したか否かを判別し、前記記録データ特定情報に対応するデータの再生が終了したと判別した場合、前記再生部による前記データの再生を停止させ、前記データの記録の停止を実行する記録停止実行指示情報を前記データ記録装置に前記通信部を介して送信させる制御工程と、を含む。
【００１１】
請求項６に記載の発明のデータ再生プログラムは、
コンピュータを、
データの再生を行う再生部、
前記データの記録を行うデータ記録装置との間で通信を行う通信部、
前記再生部により再生されたデータを前記データ記録装置に記録させる際、前記データ記録装置に記録する記録データを特定する記録データ特定情報と前記データの再生及び記録を停止する停止指示情報とを前記通信部を介して前記データ記録装置から受信すると、前記記録データ特定情報に基づいて、前記記録データ特定情報に対応するデータの再生が終了したか否かを判別し、前記記録データ特定情報に対応するデータの再生が終了したと判別した場合、前記再生部による前記データの再生を停止させ、前記データの記録の停止を実行する記録停止実行指示情報を前記データ記録装置に前記通信部を介して送信させる制御部、として機能させる。
【発明の効果】
【００１２】
本発明によれば、データの記録の際、ユーザの利便性を向上させることができる。
【発明を実施するための最良の形態】
【００１３】
以下、添付図面を参照して本発明に係る一実施の形態を詳細に説明する。ただし、発明の範囲は、図示例に限定されない。
【００１４】
先ず、図１を参照して、本実施の形態のデータ記録システム１を説明する。
データ記録システム１は、楽曲データをオーディオ装置３の再生部３４で再生させ、当該再生した楽曲データをポータブル再生記録装置２の記録部１４に記録させるシステムである。
データ記録システム１は、データ記録装置としてのポータブル再生記録装置２と、データ再生装置としてのオーディオ装置３と、コマンド用ケーブル４１と、音声用ケーブル４２と、を備えて構成される。
【００１５】
先ず、ポータブル再生記録装置２について説明する。ポータブル再生記録装置２は、オーディオ装置３からデータとしての楽曲データの供給を受ける。そして、当該楽曲データをメモリやＨＤＤ（Hard Disk Drive）等の記録部１４の記録媒体に記録する。
【００１６】
ポータブル再生記録装置２は、第２の制御部としてのＣＰＵ１１と、ＲＯＭ（Read Only Memory）１２と、ＲＡＭ（Random Access Memory）１３と、１４と、音声処理部１５と、第２の通信部としての通信部１６と、音声データ入力端子１７と、表示部１８と、指示部１９と、音声出力部２０と、を備えて構成される。
【００１７】
ＣＰＵ１１は、ポータブル再生記録装置２を中央制御する。ＣＰＵ１１は、ＲＯＭ１２に記憶されているシステムプログラム及び各種アプリケーションプログラムの中から指定されたプログラムをＲＡＭ１３に展開し、ＲＡＭ１３に展開されたプログラムとの協働で、各種処理を実行する。
【００１８】
ＣＰＵ１１は、後述する楽曲データ記録停止プログラムとの協働により、通信部１６を介して、指示部１９により受け付けられた記録データ特定情報をオーディオ装置３に送信させる。また、オーディオ装置３から楽曲データの記録停止実行指示情報を受信すると記録を停止する指示を受信すると、記録部１４による楽曲データの記録を停止させる。ここで、記録停止実行指示情報とは、楽曲データの記録を停止させるための指示情報のことをいう。
【００１９】
ＲＯＭ１２は、不揮発性メモリであり、楽曲データ記録停止プログラムを記憶する。ＲＡＭ１３は、揮発性のメモリであり、実行される各種プログラムやこれら各種プログラムに係るデータ等を一時的に記憶するワークエリアを形成する。
【００２０】
記録部１４は、磁気記憶媒体を備えたＨＤＤ等により構成される。記録部１４は、再生部３４で再生された楽曲データを磁気記憶媒体に記録する。
【００２１】
音声処理部１５は、高速のマイクロプロセッサであり、ＣＤの楽曲データを、ＭＰ３（MPEG-1 Audio Layer-3）方式やＷＭＡ（Windows Media(登録商標) Audio）への圧縮／伸張の処理、エラー訂正符号化の処理、ＥＦＭ（Eight to Fourteen Modulation）変調処理等の各種デジタル信号処理を施す。
【００２２】
通信部１６は、コマンド送受信部１６Ａと、コマンド入出力端子１６Ｂと、を備えて構成される。コマンド送受信部１６Ａは、コマンド入出力端子１６Ｂを介してオーディオ装置３と情報の送受信を行う。具体的には、コマンド送受信部１６Ａは、指示部１９により受け付けられた記録データ特定情報及び停止指示情報をコマンド入出力端子１６Ｂを介してオーディオ装置３に送信する。また、オーディオ装置３から記録停止実行指示指示を、コマンド入出力端子１６Ｂを介して受信する。
【００２３】
表示部１８は、ＴＦＴ（Thin Film Transistor）液晶素子や有機ＥＬ（Electro Luminescence）素子を用いたＦＰＤ（Flat Panel Display）から構成される。表示部１８は、ＣＰＵ１１から入力される表示情報に基づいて画面表示を行う。
【００２４】
指示部１９は、各種入力キー等を備え、ユーザからの各種情報の入力を各種入力キーから受け付け、その情報をＣＰＵ１１に出力する。
【００２５】
音声出力部２０は、信号変換回路、アンプ等を備え、音声信号をイヤホン等（図示省略）に出力する。具体的には、オーディオ装置３より受信された楽曲データが、音声出力部２０において、信号変換回路によりアナログの音声信号に変換され、その音声信号がアンプにより増幅されてイヤホン等から音声出力される。
【００２６】
次に、オーディオ装置３について説明する。オーディオ装置３はＣＤなどの楽曲データを再生するオーディオ再生装置である。オーディオ装置３は、第１の制御部としてのオーディオ装置制御部ＣＰＵ３１と、ＲＯＭ３２と、ＲＡＭ３３と、再生部３４と、第１の通信部としての通信部３５と、指示部３６と、音声出力端子３７と、を備えて構成される。
【００２７】
オーディオ装置制御部３１は、マイコン等により構成され、オーディオ装置３を中央制御する。オーディオ装置制御部３１は、ＲＯＭ３２に記憶されているシステムプログラム及び各種アプリケーションプログラムの中から指定されたプログラムをＲＡＭ３３に展開し、ＲＡＭ３３に展開されたプログラムとの協働で、各種処理を実行する
【００２８】
オーディオ装置制御部３１は、後述する楽曲データ再生停止プログラムとの協働により、再生部３４により再生された楽曲データをポータブル再生記録装置２に記録させる際、記録データ特定情報と停止指示情報とを通信部３５を介してポータブル再生記録装置２から受信すると、記録データ特定情報に基づいて、記録データ特定情報に対応する楽曲データの再生が終了したか否かを判別する。そして、記録データ特定情報に対応する楽曲データの再生が終了したと判別した場合、再生部３４による楽曲データの再生を停止させ、記録停止実行情報をポータブル再生記録装置２に通信部３５を介して送信させる。
ここで、停止指示情報とは、ユーザにより指示部１４を介して指示された楽曲データの再生及び記録を停止するための情報のことをいう。記録データ特定情報とは、記録データを特定する情報のことをいう。記録データとは、ユーザが記録したいと所望する楽曲データのことをいう。記録データ特定情報の例としては、終了予約モードの設定情報、再生されるデータの数としての曲数設定情報、データの付加情報としての検索情報等が挙げられる。記録データ特定情報に対応する楽曲データとは、終了予約モードの設定情報に対応する楽曲データ、曲数設定情報に対応する楽曲データ、検索情報に対応する楽曲データのことをいう。終了予約モードの設定情報、曲数設定情報、検索情報については後述する。
【００２９】
再生部３４は、外部から入力されるデータとしてのＣＤ３４Ａに記録された楽曲データの再生を行う。再生部３４は、光学ピックアップ及びサーボモータ等から構成される公知の光学読取機構を適用する。
【００３０】
通信部３５は、コマンド入出力端子３５Ａと、コマンド送受信部３５Ｂと、を備えて構成される。コマンド送受信部３５Ｂは、コマンド入出力端子３５Ａを介してポータブル再生記録装置２と情報の送受信を行う。具体的には、コマンド送受信部３５Ａは、記録データ情報特定情報及び停止指示情報をコマンド入出力端子３５Ａを介してポータブル再生記録装置２から受信する。また、記録データ特定情報に対応する楽曲データの再生が終了した後、記録停止実行指示情報をコマンド入出力端子３５Ｂを介してポータブル再生記録装置２に送信する。
【００３１】
指示部３６は、各種入力キー等を備え、ユーザからの各種情報の入力を各種入力キーから受け付け、その情報をオーディオ装置制御部３１に出力する。
【００３２】
音声出力端子３７は、図示しないＤ／Ａ変換器により変換されたアナログ音声データを出力する。
【００３３】
コマンド用ケーブル４１、音声用ケーブル４２は、ポータブル再生記録装置２とオーディオ装置３とを通信接続する。コマンド用ケーブル４１を介して、記録データ情報や記録及び再生を停止する指示の送受信が行われる。音声用ケーブル４２を介して、オーディオ装置３からポータブル再生記録装置２へ楽曲データの送信が行われる。
【００３４】
次に、図２及び図３を参照して、データ記録システム１の動作を説明する。図２に楽曲データ記録停止処理の流れを示す。図３に楽曲データ再生停止処理の流れを示す。
【００３５】
先ず、図２を参照して、ポータブル再生記録装置２で実行される楽曲データ記録停止処理を説明する。楽曲データ記録停止処理は、記録データ特定情報を受け付け、当該記録データ特定情報をオーディオ装置３に送信する処理である。
【００３６】
例えば、ポータブル再生記録装置２において楽曲データ記録停止処理の実行指示が指示部１９を介して入力されたこと等をトリガとして、ＲＯＭ１３から読み出されて適宜ＲＡＭ１２に格納された楽曲データ記録停止プログラムと、ＣＰＵ１１との協働により楽曲データ記録停止処理が実行される。
【００３７】
予め、再生部３４にＣＤ３４Ａがセットされており、楽曲データの再生が実行されているものとする。また、ポータブル再生記録装置２とオーディオ装置３とがコマンド用ケーブル４１及び音声用ケーブル４２を介して通信接続されているものとする。
【００３８】
先ず、楽曲データの記録が開始される（ステップＳ１０１）。すなわち、再生部３４により再生された楽曲データが、音声用ケーブル４２を介して記録部１４に記録される。そして、指示部１９を介して入力された記録データ特定情報が受け付けられる（ステップＳ１０２）。ここで、送信される記録データ情報には、ユーザの設定による、終了予約モードの設定情報、曲数設定情報、検索情報が含まれる。
【００３９】
終了予約モードの設定情報とは、楽曲データの再生を終了予約する設定情報のことをいう。例えば、ユーザが記録データとして現在再生中の楽曲データまでを記録したいとする。この場合、ユーザによりポータブル再生記録装置２の指示部１９を介して終了予約モードが設定される。
【００４０】
曲数設定情報とは、記録データの曲数に関する設定情報のことをいう。例えば、ユーザが記録データとして記録したい楽曲データの曲数が３曲であったとする。この場合、ユーザによりポータブル再生記録装置２の指示部１９を介して「３曲」が設定される。
【００４１】
検索情報とは、記録データのジャンル、アーティスト名、楽曲名、又は楽曲データの終わりを特定するための無音部分を検索するための情報のことをいう。例えば、ユーザが記録データとして記録したい楽曲データの曲名が「ＡＢＣ」であったとする。この場合、ユーザにより「ＡＢＣ」が指示部１９を介して設定される。
【００４２】
ステップＳ１０２の実行後、指示部１９を介して入力された楽曲データの停止指示情報が受け付けられる（ステップＳ１０３）。そして、記録データ特定情報及び停止指示情報がオーディオ装置３に送信される（ステップＳ１０４）。
【００４３】
ステップＳ１０４の実行後、通信部１６を介して、オーディオ装置３より記録停止実行指示情報が受信されたか否かが判別される（ステップＳ１０５）。記録停止実行指示情報が受信されていないと判別された場合（ステップＳ１０５；ＮＯ）、ステップＳ１０５に移行される。記録停止実行指示情報が受信されたと判別された場合（ステップＳ１０５；ＹＥＳ）、楽曲データの記録停止が実行される（ステップＳ１０６）。すなわち、楽曲データの記録部１４への記録が停止される。ステップＳ１０６の実行後、楽曲データ記録停止処理は終了する。  
【００４４】
次いで、図３を参照して、楽曲データ再生停止処理を説明する。楽曲データ再生停止処理は、記録データの再生が終了した後に、記録停止指示をポータブル再生記録装置２に送信するとともに、再生部３４の楽曲データの再生を停止させる処理である。
【００４５】
例えば、オーディオ装置３において、通信部３５を介して記録データ特定情報及び停止指示情報が受信開始されたこと等をトリガとして、ＲＯＭ３２から読み出されて適宜ＲＡＭ３３に展開された楽曲データ再生停止プログラムと、オーディオ装置制御部３１との協働により楽曲データ再生停止処理が実行される。
【００４６】
予め、再生部３４により、楽曲データの再生が実行されているとする。また、当該再生された楽曲データは音声用ケーブル４２を介して記録部１４に記録されているものとする。
【００４７】
先ず、通信部３５を介して記録データ特定情報及び停止指示情報が受信される（ステップＳ２０１）。そして、記録データ情報の中に終了予約モード設定情報が有るか否かが判別される（ステップＳ２０２）。記録データ特定情報の中に終了予約モード設定情報がないと判別された場合（ステップＳ２０２；ＮＯ）、楽曲データの再生が停止される（ステップＳ２０３）。すなわち、再生部３４による楽曲データの再生が停止される。
【００４８】
ステップＳ２０２において、記録データ特定情報の中に終了予約モード設定情報があると判別された場合（ステップＳ２０２；ＹＥＳ）、記録データ特定情報の中に曲数設定情報があるか否かが判別される（ステップＳ２０４）。曲数設定情報があると判別された場合（ステップＳ２０４；ＹＥＳ）、曲数設定情報の楽曲データの再生が終了したか否かが判別される（ステップＳ２０５）。例えば、「３曲」の曲数設定情報の場合、「３曲」の楽曲データの再生が終了したか否かが判別される。ここで、楽曲データの再生が終了したか否かの判別は、ＴＯＣ（Table Of Contents）情報に基づいて、楽曲データの最初と最後のアドレスを判別することにより行われる。
【００４９】
曲数設定情報の楽曲データの再生が終了していないと判別された場合（ステップＳ２０５；ＮＯ）、ステップＳ２０５に移行される。曲数設定情報の楽曲データの再生が終了したと判別された場合（ステップＳ２０５；ＹＥＳ）、ステップＳ２０３に移行される。
【００５０】
ステップＳ２０４において、記録データ特定情報の中に曲数設定情報がないと判別された場合（ステップＳ２０４；ＮＯ）、記録データ特定情報の中に検索情報があるか否かが判別される（ステップＳ２０６）。記録データ特定情報の中に検索情報がないと判別された場合（ステップＳ２０６；ＮＯ）、再生中の楽曲データの再生が終了したか否かが判別される（ステップＳ２０７）。楽曲データの再生が終了したか否かの判別は、ＴＯＣ情報に基づいて、楽曲データの最初と最後のアドレスを判別することにより行われる。
【００５１】
ステップＳ２０７において、再生中の楽曲データの再生が終了していないと判別された場合（ステップＳ２０７；ＮＯ）、ステップＳ２０７に移行される。再生中の楽曲データの再生が終了したと判別された場合（ステップＳ２０７；ＹＥＳ）、ステップＳ２０３に移行される。
【００５２】
ステップＳ２０６において、記録データ特定情報の中に検索情報があると判別された場合（ステップＳ２０６；ＹＥＳ）、検索情報に合致する楽曲データがあるか否かが判別される（ステップＳ２０８）。例えば、ユーザが記録データとして記録したい楽曲データの曲名が「ＡＢＣ」であったとする。この場合、「ＡＢＣ」と合致する楽曲データの検索が実行される。検索は楽曲データのタグ情報又はメタデータを用いて実行される。メタデータは、例えば、オーディオ装置３内のＩ／Ｆ（インターフェース）（図示省略）と通信接続されたＰＣ（Personal Computer）等より取得される。このとき、検索の条件として、検索情報の一部分の文字を含んだ情報を検索することとしてもよい。例えば、ユーザにより記録データの検索情報として「Ａ」が設定されたとする。この場合、「Ａ」と「ＡＢＣ」とは、一部分の文字「Ａ」が合致する。すなわち、「Ａ」が検索情報として設定された場合であっても、楽曲名の「ＡＢＣ」を検索することとしてもよい。つまり、検索情報の検索は、検索情報の完全一致に限定されないこととしてもよい。
【００５３】
ステップＳ２０８において、検索情報に合致する楽曲データがあると判別された場合（ステップＳ２０８；ＹＥＳ）、検索情報に合致する楽曲データの再生が終了したか否かが判別される（ステップＳ２０９）。楽曲データの再生が終了したか否かの判別は、ＴＯＣ情報に基づいて、楽曲データの最初と最後のアドレスを判別することにより行われる。
【００５４】
ステップＳ２０９において、検索情報に合致する楽曲データの再生が終了していないと判別された場合（ステップＳ２０９；ＮＯ）、ステップＳ２０９に移行される。検索情報に合致する楽曲データの再生が終了したと判別された場合（ステップＳ２０９；ＹＥＳ）、ステップＳ２０３に移行される。
【００５５】
ステップＳ２０８において、検索情報に合致する楽曲データがないと判別された場合（ステップＳ２０８；ＮＯ）、現在再生中の楽曲データの再生が終了したか否かが判別される（ステップＳ２１０）。楽曲データの再生が終了したか否かの判別は、ＴＯＣ情報に基づいて、楽曲データの最初と最後のアドレスを判別することにより行われる。
【００５６】
現在再生中の楽曲データの再生が終了していないと判別された場合（ステップＳ２１０；ＮＯ）、ステップＳ２１０に移行される。現在再生中の楽曲データの再生が終了したと判別された場合（ステップＳ２１０；ＹＥＳ）、ステップＳ２０３に移行される。
【００５７】
ステップＳ２０３の実行後、通信部３５を介してポータブル再生記録装置２に記録停止実行指示情報が送信される（ステップＳ２０３）。（ステップ２１１）。ステップＳ２１１の実行後、楽曲データ再生停止処理は終了する。  
【００５８】
以上、本実施の形態によれば、オーディオ装置制御部３１は、記録データ特定情報と停止指示情報が受け付けられると、記録データ特定情報に基づいて、再生中の楽曲データ、曲数設定情報の楽曲データ、及び検索情報に合致する楽曲データの再生が終了したか否かを判別する。当該楽曲データの再生が終了したと判別した場合、再生部３４によるデータの再生を停止させ、記録停止実行指示情報を通信部３５を介してポータブル再生記録装置２に送信させる。これにより、ユーザは、記録データ記録が終了するまで待った上で、記録停止指示の入力を行う必要がない。したがって、データ記録の際、ユーザの利便性を向上させることができる。また、記録データの途中で記録が停止することがないので、記録データを再度、記録する必要がない。したがって、ユーザの作業負担を低減することができる。
【００５９】
また、ユーザにより指示部１４を介して停止指示情報の入力が行われると、再生中の楽曲データ、曲数設定情報の楽曲データ、又は検索情報に合致する楽曲データの再生が終了したときに、楽曲データの再生及び記録を自動的に停止することができる。  
【００６０】
なお、上記実施の形態における記述は、本発明に係るデータ記録システム１の一例であり、これに限定されるものではない。
【００６１】
例えば、楽曲データ再生停止処理のステップＳ２０５，Ｓ２０７、Ｓ２０９、Ｓ２１０において、楽曲データの再生が終了していないと判別された場合、通信部３５を介して、再生中の楽曲データ、曲数設定情報の楽曲データ、又は検索情報に合致する楽曲データの記録を継続する継続指示情報をポータブル再生記録装置２に送信させることとしてもよい。この場合、ポータブル再生記録装置２のＣＰＵ１１は、通信部１６を介して、継続指示情報をオーディオ装置３から受信すると、再生中の楽曲データ、曲数設定情報の楽曲データ、又は検索情報に合致する楽曲データの記録を継続させる。
【００６２】
また、上記実施の形態では、記録部１４をＨＤＤとしたが、フラッシュメモリ等の半導体メモリを備える構成としてもよく、半導体メモリを搭載したメモリカード、ＵＳＢ（Universal Serial Bus）メモリで構成することとしてもよい。  
【００６３】
また、コマンド用ケーブル４１、音声用ケーブル４２の２つのケーブルを用いる構成としたが、１つのケーブルを用いる構成としてもよい。この場合、例えば、左音声端子、右音声端子、音声信号用ＧＮＤ端子、制御信号用端子より構成される４端子ケーブルが用いられる。
【００６４】
また、オーディオ装置３で再生するデータをＣＤに記録された楽曲データとしたが、これに限定されるものではない。例えば、ＭＤ、ＤＶＤ、半導体メモリを搭載したメモリカード等に記録されたデータの再生や、オーディオ装置３に内蔵されているＨＤＤやメモリに記録されたデータであってもよい。また、チューナーから入力されるデータを再生することとしてもよく、このときデータの再生終了の判別は無音部の検知により行う。
【００６５】
その他、上記実施の形態における、データ記録システム１の細部構成及び詳細動作に関しても、本発明の趣旨を逸脱しない範囲で適宜変更可能である。
【図面の簡単な説明】
【００６６】
【図１】本発明に係るデータ記録システム１の構成例である。
【図２】楽曲データ記録停止処理を示すフローチャートである。
【図３】楽曲データ再生停止処理を示すフローチャートである。
【符号の説明】
【００６７】
１     データ処理システム
２     ポータブル再生記録装置
３     オーディオ装置
１１  ＣＰＵ
１２，３２  ＲＡＭ
１３，３３  ＲＯＭ
１４   記録部
１５   音声処理部
１６，３５    通信部
１７   音声データ入力端子
１８   表示部
１９，３６    指示部
２０   音声出力部
３１   オーディオ装置制御部
３４   再生部
３７   音声出力端子
４１   コマンド用ケーブル
４２   音声用ケーブル
【図１】
2008234744.tif 000003
【図２】
2008234744.tif 000004
【図３】
2008234744.tif 000005